(57)【要約】【課題】電解コンデンサを有する放電灯点灯装置において、安全性の高い放電灯点灯装置などを提供すること。【解決手段】電解コンデンサが含まれる電気回路部品を回路基板上に搭載し、その上に被せられる放電灯点灯装置のケースであって、前記回路基板を載置し、その上に被せるケースの上面に樹脂を注入するための樹脂注入口を備えると共に、この樹脂注入口と前記電解コンデンサの頂上部との間に隔壁を備え、前記隔壁により、前記樹脂注入口から樹脂が注入されるとき少なくとも前記電解コンデンサの頂上部及び頂上部周囲に前記樹脂の入らない独立空間が形成される構造を有する放電灯点灯装置ケース。【選択図】図６
2008060050.tif 000002
【特許請求の範囲】
【請求項１】
電解コンデンサが含まれる電気回路部品を回路基板上に搭載し、その上に被せられる放電灯点灯装置のケースであって、
前記回路基板を載置し、その上に被せるケースの上面に樹脂を注入するための樹脂注入口を備えると共に、この樹脂注入口と前記電解コンデンサの頂上部との間に隔壁を備え、
前記隔壁により、前記樹脂注入口から樹脂が注入されるとき少なくとも前記電解コンデンサの頂上部及び頂上部周囲に前記樹脂の入らない独立空間が形成される構造を有することを特徴とする放電灯点灯装置ケース。
【請求項２】
回路基板と、
この回路基板の上に設けられ、放電灯点灯装置用の回路であって電解コンデンサを含む電気回路部品と、
この電気回路部品上に被せられるケースとを備え、
前記ケースは、上方から樹脂を注入するための樹脂注入口と、この樹脂注入口と前記電解コンデンサの上部を隔てる隔壁を有し、
この隔壁により、前記樹脂注入口より樹脂が注入されるとき、少なくとも前記電解コンデンサの頂上部およびその周囲に前記樹脂の入らない独立空間が形成される構造を有することを特徴とする、放電灯点灯装置。
【請求項３】
回路基板上に、放電灯点灯装置用の回路であって電解コンデンサを含む電気回路部品を設ける電気回路部品設置ステップと、
このステップにより設けた前記電気回路部品を被って、上面に樹脂注入口を有し内部にこの樹脂注入口と前記電解コンデンサの頂上部とを隔てる隔壁を有するケースを、設けるケース設置ステップと、
このケース設置ステップにより設けられた前記ケースの前記樹脂注入口から樹脂を注入し、前記隔壁により少なくとも前記電解コンデンサの頂上部及びその周囲を含んで前記樹脂が入らない独立空間を形成する独立空間形成ステップと、
を有することを特徴とする、放電灯点灯装置の製造方法。
【発明の詳細な説明】
【技術分野】
【０００１】
本発明は、例えば車載用放電灯点灯装置などに係り、特に放電灯の点灯装置における電解コンデンサの防爆弁の作動による電解液の蒸発による煙と異臭の発生を防止した放電灯点灯装置及びその構造に関する。
【背景技術】
【０００２】
放電灯装置において、放電灯を速やか、かつ安定に点灯させるために、一般に放電灯点灯装置が必要とされている。この放電点灯装置に供給される電源として安定な直流電源が用いられる場合には問題は少ないが、例えば車載用の放電灯装置では、直流電源の安定性に問題があるので、瞬停や瞬断の状態でも出力電圧を保持するために直流電源と並列に電解コンデンサを接続することがほとんどである。
【０００３】
しかし、この電解コンデンサには高い電圧が印加されることがあり、そのような場合には破損のおそれがある。それゆえこの種の電解コンデンサの上部にはＹやＫの字状の溝を設けて、その溝部分の、強度の弱い部位から破損するようにしてショックを和らげている。
【０００４】
ところで、放電灯点灯装置は通常、樹脂を充填されるが、上記電解コンデンサも樹脂で固められる。例えば特許文献１に記載されている放電灯点灯装置では、プリント基板における半田面側から樹脂が充填されており、他の電子部品と共に上記電解コンデンサはこの樹脂中に埋没する（図２７参照）。
【特許文献１】特開２００２−３６７４１３号公報（図２７）
【発明の開示】
【発明が解決しようとする課題】
【０００５】
従来の放電灯点灯装置では電解コンデンサに起因する破損などの問題があった。
【０００６】
本発明は、上記のような従来の放電灯点灯装置の電解コンデンサに起因する安全性の問題点にかんがみてなされたもので、電解コンデンサを有する放電灯点灯装置において、安全性の高い放電灯点灯装置などを提供することを目的とする。
【課題を解決するための手段】
【０００７】
本発明の請求項１によれば、電解コンデンサが含まれる電気回路部品を回路基板上に搭載し、その上に被せられる放電灯点灯装置のケースであって、前記回路基板を載置し、その上に被せるケースの上面に樹脂を注入するための樹脂注入口を備えると共に、この樹脂注入口と前記電解コンデンサの頂上部との間に隔壁を備え、前記隔壁により、前記樹脂注入口から樹脂が注入されるとき少なくとも前記電解コンデンサの頂上部及び頂上部周囲に前記樹脂の入らない独立空間が形成される構造を有することを特徴とする放電灯点灯装置ケースを提供する。
【発明の効果】
【０００８】
本発明によれば、電解コンデンサを含む電気回路部品を回路基板上に設けた、安全性の高い放電灯点灯装置ケースなどが得られる。
【発明を実施するための最良の形態】
【０００９】
以下、本発明の実施形態について図面を用いて説明する。図１に本発明一実施形態の車載用の放電灯点灯装置に被せられる凹状のケース１１の斜視図を示し、図２に、図１に示すケース１１が被せられる放電灯点灯装置の回路基板１２とその上に設置される電気回路部品１３の斜視図を示す。電気回路部品１３には、その１つとして、瞬停、瞬断や瞬間高電圧印加の状態でも出力電圧を保持するために直流電源と並列に接続される電解コンデンサ１４ａ，１４ｂ，１４ｃなどが設けられている。これらの電解コンデンサの頂上部には例えばＹの溝が設けられている。
【００１０】
これらの電気回路部品１３と回路基板１２が台板１５の上に載置され、上記ケース１１と台板１５がネジ止めされ密封固定される。ケース１１と台板１５は、例えばアルミダイキャストにより形成される。
【００１１】
ケース１１の上部に設けられた後述する樹脂注入口１６から、電気回路部品１３上に樹脂が注入されて、電気回路部品１３は封止される。
【００１２】
図３は、図１に示すケース１１を、上下逆にして示した斜視図であり、図４はこのケース１１の平面図である。図５は、図４に示すケース１１をＡ−Ａの位置で切断したときの断面図、図６はケース１１の図５に示す断面図においてＢの部分を拡大して示した拡大断面図である。
【００１３】
図３において、符号２１は、電気回路部品１３を設けた回路基板１２上にケース１１を被せ、上方の樹脂注入口１６から樹脂が注入されたとき、この独立空間を構成する凹部を意味し、符号２２は、樹脂注入口１６と凹部２１を隔てる隔壁である。
【００１４】
ここで、樹脂を注入するとき隔壁２２によりケース１１内で電解コンデンサ１４ａ，１４ｂ，１４ｃの頂上部およびその周囲に独立空間が形成されることを、図７及び図８を用いて具体的に説明する。図７及び図８はケースから樹脂を注入するときの様子を示すための模式図である。
【００１５】
図７に示すようにケース１１に設けられている樹脂注入口１６と凹部２１の間には隔壁２２が設けられる。そして、この隔壁２２の先端は、電解コンデンサ１４ａ，１４ｂ，１４ｃの頂上部２３よりも低い位置まで下方に延びている。
【００１６】
樹脂注入口１６に上方から樹脂を注入すると、矢印２５ａ，２５ｂに示すように樹脂注入口１６の周囲にも樹脂が充填される。
【００１７】
然るに、電解コンデンサ１４ａ，１４ｂ，１４ｃの上方には、図３に示す凹部２１が形成されているので、この凹部２１に空気が閉じ込められる。すなわち、図８に示すように樹脂２６が充填されていくとき、電解コンデンサ１４ａ，１４ｂ，１４ｃの上方では、隔壁２２の存在によって凹部２１中の空気が閉じ込められた状態となり、隔壁２２の高さ以上高い位置には樹脂は充填されず、独立空間が形成されることになる。
【００１８】
上記独立空間は、少なくとも電解コンデンサの頂上部およびその周囲が含まれるように、形成すれば十分であり、これによって電解コンデンサ上部の破損はこの独立空間において吸収することができる。
【００１９】
なお、この独立空間の大きさ（高さ）は、安全性を考慮して隔壁の高さを調整することにより、変えることが可能である。例えば、隔壁２２の高さを比較的高くし、電解コンデンサの中央付近まで独立空間を形成すれば十分安全な放電灯点灯回路を作ることができる。
【００２０】
また、この実施形態では、図３に示すように回路基板上に設けられた電解コンデンサの上部を覆うように凹部２１を形成し、更にこれらの電解コンデンサの中央付近までは他の電気回路部品の区間から樹脂が流入できるように溝部２８が形成されている。この溝部２８の深さを変えることによっても上記独立空間の高さを調節することができる。
【００２１】
溝部２８により電解コンデンサ中央付近までの高さについては、注入された樹脂が被い、これより上の空間のみ残留空気の内圧によって樹脂流入が抑圧され、独立空間を形成する。他の電気回路部品は、例えば上記電解コンデンサよりも背の高い部品であっても、残留空気排出口を兼ねた樹脂注入口があるため、完全に樹脂中に埋没させることが可能となる。
【００２２】
上述の本発明の実施形態によれば、凹部２１による空間部分は密閉されていることから、電解コンデンサの防爆弁の作動による電解液の蒸発による煙と異臭の発生を防止することができる効果がある。
【００２３】
なお、本発明の上記実施形態では、電解コンデンサが３つの場合について述べたが２個以下あるいは４個以上であってもよい。また上記実施形態は車載用放電灯点灯装置に本発明を適用した場合について説明したが、これに限られず電解コンデンサを有する放電灯の点灯装置に適用可能である。
【００２４】
本発明は上記実施形態に限定されるものではなく、本発明の技術思想の範囲内で種々変形して実施可能である。
【図面の簡単な説明】
【００２５】
【図１】本発明一実施形態の放電灯点灯装置ケースの斜視図。
【図２】本発明一実施形態における電気回路部品の斜視図。
【図３】本発明一実施形態の放電灯点灯装置ケースを裏面から見た斜視図。
【図４】本発明一実施形態の放電灯点灯装置の正面図。
【図５】本発明一実施形態の放電灯点灯装置の断面図。
【図６】本発明一実施形態の放電灯点灯装置の一部拡大断面図。
【図７】本発明一実施形態の放電灯点灯装置において、樹脂注入の様子を示す図。
【図８】本発明一実施形態の放電灯点灯装置において、隔壁により独立空間が形成される様子を示す図。
【符号の説明】
【００２６】
１１・・・ケース、
１２・・・回路基板、
１３・・・電気回路部品、
１４ａ，１４ｂ，１４ｃ・・・電解コンデンサ、
１５・・・台板、
１６・・・樹脂注入口、
２１・・・凹部、
２２・・・隔壁、
２３・・・頂上部
２６・・・樹脂、
２８・・・溝部。
【図１】
2008060050.tif 000003
【図２】
2008060050.tif 000004
【図３】
2008060050.tif 000005
【図４】
2008060050.tif 000006
【図５】
2008060050.tif 000007
【図６】
2008060050.tif 000008
【図７】
2008060050.tif 000009
【図８】
2008060050.tif 000010